(57)【要約】【課題】同時に複数の映像を表示する場合におけるポインティングデバイスによる入力の操作性を向上すること。【解決手段】操作部により連続性のある操作が受け付けられる場合（Ｓ２１）、該操作の開始位置が含まれる表示領域を表示対象とする映像を入力する映像供給装置に対する操作と判定し（Ｓ２４，Ｓ２５，Ｓ２７）、操作のうち開始位置が含まれる表示領域における操作の操作情報を送信する。【選択図】図７
2015115003.tif 000002
【特許請求の範囲】
【請求項１】
複数の入力ソースから入力される複数の映像を同時に表示可能な表示装置であって、
表示面において複数の表示領域を設定し、該複数の表示領域それぞれに映像を表示する表示制御部と、
表示面上の位置を指定する操作を受け付ける操作部と、
前記操作が前記複数の入力ソースのうちいずれに対する操作であるかを判定する操作判定部と、
前記操作判定部により判定された結果に応じた入力ソースに、該入力ソースに対する操作の内容を特定するための操作情報を送信する操作情報送信部とを備え、
前記操作判定部は、前記操作部により連続性のある操作が受け付けられる場合、該操作の開始位置が含まれる表示領域を表示対象とする映像を入力する入力ソースに対する操作と判定し、
前記操作情報送信部は、前記操作のうち前記開始位置が含まれる表示領域における操作の操作情報を送信することを特徴とする、表示装置。
【請求項２】
前記表示制御部は、表示面において複数の表示領域を横方向および縦方向の少なくとも一方に並べて設定し、該複数の表示領域それぞれに映像を表示し、
前記複数の表示領域における第１表示領域と第２表示領域との境界から所定の幅を有し、該第２表示領域に重畳する領域をオーバーラップ領域とし、
操作の開始位置が前記第１表示領域に含まれ、前記オーバーラップ領域に操作範囲が及ぶ連続性のある操作が前記操作部により受け付けられた場合、前記操作判定部は、前記第１表示領域を表示対象とする映像を入力する入力ソースに対する操作と判定し、前記操作情報送信部は、前記オーバーラップ領域において指定された位置を前記第１表示領域内に丸め込んだ位置と、前記第１表示領域内において指定された位置とを前記操作情報として送信することを特徴とする、請求項１に記載の表示装置。
【請求項３】
前記表示制御部は、一部の領域を除く表示面全体の領域である第１表示領域と、前記一部の領域である第２表示領域とを設定し、該第１表示領域および該第２表示領域それぞれに映像を表示し、
前記操作判定部は、前記操作部により連続性のある操作が受け付けられ、該操作の開始位置が前記第１表示領域に含まれる場合、前記第１表示領域を表示対象とする映像を入力する入力ソースに対する操作と判定し、
前記操作情報送信部は、前記第１表示領域における操作の操作情報を送信することを特徴とする、請求項１に記載の表示装置。
【請求項４】
前記操作判定部は、前記操作部により連続性のある操作が受け付けられ、該操作の開始位置が前記第２表示領域に含まれる場合、前記複数の入力ソースのいずれにも該当しない操作と判定し、
前記操作情報送信部は、前記操作の操作情報を前記複数の入力ソースのいずれにも送信しないことを特徴とする、請求項３に記載の表示装置。
【請求項５】
複数の入力ソースから入力される複数の映像を同時に表示可能な表示装置において実行される表示制御方法であって、
表示面において複数の表示領域を設定し、該複数の表示領域それぞれに映像を表示するステップと、
表示面上の位置を指定する操作を受け付けるステップと、
前記操作が前記複数の入力ソースのうちいずれに対する操作であるかを判定するステップと、
前記判定された結果に応じた入力ソースに、該入力ソースに対する操作の内容を特定するための操作情報を送信するステップとを含み、
前記判定するステップは、連続性のある操作が受け付けられる場合、該操作の開始位置が含まれる表示領域を表示対象とする映像を入力する入力ソースに対する操作と判定し、
前記操作情報を送信するステップは、前記操作のうち前記開始位置が含まれる表示領域における操作の操作情報を送信することを特徴とする、表示制御方法。
【請求項６】
請求項１から４のいずれか１項に記載の表示装置としてコンピュータを機能させるための表示制御プログラムであって、コンピュータを上記各手段として機能させるための表示制御プログラム。
【発明の詳細な説明】
【技術分野】
【０００１】
本発明は、表示装置、表示制御方法および表示制御プログラムに関し、特に表示画面上の座標を指定することが可能なユーザインターフェースを備える表示装置、その表示制御方法および表示制御プログラムに関する。
【背景技術】
【０００２】
従来、例えばピクチャ・イン・ピクチャ（ＰｉｎＰ）機能、ピクチャ・バイ・ピクチャ（ＰｂｙＰ）機能、ピクチャ・アウト・ピクチャ（ＰｏｕｔＰ）機能などのような、複数の入力端子それぞれから入力された映像を同時に表示する技術が知られている。例えば、特許文献１は、ＰｂｙＰ機能をプロジェクタに利用した技術を開示しており、具体的にプロジェクタが映し出す画面の表示領域が、複数の入力端子から入力される複数の映像の数と同数分割され、複数の表示領域それぞれに表示対象の映像が割り当てられる。
【０００３】
上述のようなＰｂｙＰ機能は、スマートフォン、タブレット端末、パーソナルコンピュータなどのような、液晶表示装置にタッチパネルが重畳して設けられた携帯通信端末および情報処理装置においても利用することが考えられる。
【先行技術文献】
【特許文献】
【０００４】
【特許文献１】特開２０１３−７７９４号公報（２０１３年１月１０日公開）
【発明の概要】
【発明が解決しようとする課題】
【０００５】
しかしながら、タッチパネルに限定するものではないが、例えばフリック操作やドラッグ操作など連続性のある操作をすることが可能なポインティングデバイスを搭載した装置にＰｂｙＰ機能などの表示機能を持たせた場合、ユーザは誤って隣接する表示領域の境界を跨いで操作する可能性がある。
【０００６】
このため、ユーザが１つの表示領域に対する指定を意図していたとしても、隣接する表示領域の境界を跨いで操作してしまった場合、ユーザの意図しない処理が実行されてしまうといった問題がある。また、ＰｂｙＰ機能などは表示面を複数の表示領域に分割して画像を表示する機能であるために、表示領域それぞれの面積が小さくなるので、正確な操作はさらに困難である。
【０００７】
本発明は、上記課題を解決するためになされたものであり、この発明の目的は、同時に複数の映像を表示する場合におけるポインティングデバイスによる入力の操作性を向上することが可能な表示装置、表示制御方法および表示制御プログラムを提供することである。
【課題を解決するための手段】
【０００８】
上記の課題を解決するために、本発明の一態様に係る表示装置は、複数の入力ソースから入力される複数の映像を同時に表示可能な表示装置であって、表示面において複数の表示領域を設定し、該複数の表示領域それぞれに映像を表示する表示制御部と、表示面上の位置を指定する操作を受け付ける操作部と、前記操作が前記複数の入力ソースのうちいずれに対する操作であるかを判定する操作判定部と、前記操作判定部により判定された結果に応じた入力ソースに、該入力ソースに対する操作の内容を特定するための操作情報を送信する操作情報送信部とを備え、前記操作判定部は、前記操作部により連続性のある操作が受け付けられる場合、該操作の開始位置が含まれる表示領域を表示対象とする映像を入力する入力ソースに対する操作と判定し、前記操作情報送信部は、前記操作のうち前記開始位置が含まれる表示領域における操作の操作情報を送信する。
【発明の効果】
【０００９】
本発明の一態様によれば、隣接する表示領域の境界における位置の検出精度を高くすることができるといった効果を奏する。
【図面の簡単な説明】
【００１０】
【図１】本発明の第１の実施形態における表示システムの全体構成の一例を示す図である。
【図２】本発明の第１の実施形態における表示システムの全体構成の一例を示す機能ブロック図である。
【図３】タッチパネルディスプレイが備える制御部の機能の一例を示す機能ブロック図である。
【図４】連続性のある操作の一例を示す図である。
【図５】ＰｂｙＰ機能を利用して２つの映像が表示されたタッチパネルディスプレイの表示部を示す第１の図である。
【図６】第１の実施形態における操作情報生成・送信処理の流れの一例を示すフローチャートである。
【図７】第１の実施形態における操作判定処理の流れの一例を示すフローチャートである。
【図８】（ａ），（ｂ）は、ＰｂｙＰ機能を利用して２つの映像が表示されたタッチパネルディスプレイの表示部を示す第２の図である。
【図９】第２の実施形態における操作情報生成・送信処理の流れの一例を示すフローチャートである。
【図１０】第２の実施形態における操作判定処理の流れの一例を示すフローチャートである。
【図１１】ＰｉｎＰ機能を利用して２つの映像が表示されたタッチパネルディスプレイの表示部を示す図である。
【図１２】第３の実施形態における操作判定処理の流れの一例を示すフローチャートである。
【発明を実施するための形態】
【００１１】
図面を参照しつつ、本発明の実施の形態について説明する。以下の説明では、同一の部品には同一の符号を付してある。それらの名称および機能も同じである。したがって、それらについての詳細な説明は繰り返さない。
【００１２】
〔実施形態１〕
図１は、本発明の第１の実施形態における表示システムの全体構成の一例を示す図である。図１に示されるように、表示システム１は、タッチパネルディスプレイ１００と、タッチパネルディスプレイ１００とネットワークを介して互いに通信が可能な第１，２映像供給装置２００，３００とを含む。ここでは、２台の第１，第２映像供給装置２００，３００がタッチパネルディスプレイ１００と通信する場合を例に説明するが、映像供給装置の数は２台に限定するものではなく、２台以上であればよい。
【００１３】
表示システム１において、タッチパネルディスプレイ１００は、複数の入力ソースそれぞれから入力された映像を同時に表示する機能としてＰｉｎＰ機能、ＰｂｙＰ機能およびＰｏｕｔＰ機能を有する。本実施の形態では、タッチパネルディスプレイ１００は、第１，２映像供給装置２００，３００それぞれが表示する映像をネットワークを介して受信し、受信した２つの映像を同時に表示することが可能である。
【００１４】
第１，２映像供給装置２００，３００は、一般的なパーソナルコンピュータであり、その構成は周知であるので、ここでは詳細な説明は繰り返さない。
【００１５】
ネットワークは、ローカルエリアネットワーク（ＬＡＮ）であり、接続形態は有線または無線を問わない。また、ネットワークは、ＬＡＮに限らず、ワイドエリアネットワーク（ＷＡＮ）、インターネット等であってもよい。なお、タッチパネルディスプレイ１００と第１，２映像供給装置２００，３００との通信形態は、ネットワークに限定するものではなく、例えばＨＤＭＩ（登録商標）、ＤｉｓｐｌａｙＰｏｒｔ、ＶＧＡ等の映像通信、ＵＳＢやＰＣＩ等のデータ通信が可能な入力インターフェース、またはこれらのような組み合わせで接続する形態であってもよい。
【００１６】
図２は、本発明の第１の実施形態における表示システムの全体構成の一例を示す機能ブロック図である。タッチパネルディスプレイ１００は、タッチパネルディスプレイ１００全体を制御するための制御部１０１と、タッチパネルディスプレイ１００をネットワークに接続するための第１，２ネットワーク（入力）インターフェースＩ／Ｆ１０，２０と、操作パネル３０と、制御部１０１が実行するプログラム等を記憶するためのフラッシュメモリ、制御部１０１の作業領域として用いられるＲＡＭなどを含むメモリ４０とを含む。
【００１７】
第１，２ネットワークインターフェースＩ／Ｆ１０，２０は、タッチパネルディスプレイ１００をネットワークに接続するためのインターフェースである。制御部１０１は、第１ネットワークインターフェースＩ／Ｆ１０を介して第１映像供給装置２００との間で通信し、第２ネットワークインターフェースＩ／Ｆ２０を介して第２映像供給装置３００との間で通信し、データを送受信する。
【００１８】
操作パネル３０は、表示部３１と、ユーザの操作を受け付ける操作部３３とを含む。表示部３１は、液晶表示装置（ＬＣＤ）または有機ＥＬＤ等のディスプレイであり、ユーザに対する指示メニューや取得した映像データに関する情報を表示する。
【００１９】
操作部３３は、表示部３１に重畳して設けられたタッチパネルを含む。タッチパネルは、表示部３１の表示面と同じサイズであることが好ましい。タッチパネルは、ユーザが指示した位置を検出し、その位置の座標を制御部１０１に出力する。なお、タッチパネルは、例えば抵抗膜方式、静電容量方式等を用いることができるが、これらの方式に限定するものではない。また、以下ではタッチパネルで指示の入力を受け付ける場合について説明するが、これに限定するものではない。タッチパネルに代えて、例えばジェスチャー入力、リモコン、マウスなどのポインティングデバイスであってもよい。
【００２０】
図３は、タッチパネルディスプレイが備える制御部の機能の一例を示す機能ブロック図である。図３に示されるように、制御部１０１は、表示設定部１１１と、第１，２映像受信部１１３，１１５と、表示データ生成部１１７と、映像表示部１１９と、位置検出部１２１と、操作判定部１２３と、第１，２操作情報送信部１２５，１２７とを含む。
【００２１】
表示設定部１１１は、ＰｉｎＰ機能、ＰｂｙＰ機能およびＰｏｕｔＰ機能それぞれに対して関連付けられた２つのデフォルトの表示パラメータおよびデフォルトの割当テーブルとを記憶している。ＰｉｎＰ機能は、前方において小さい表示領域に映像を表示し、後方において表示面全体を表示領域として映像を表示する機能である。ＰｂｙＰ機能は、表示面全体が等しく左右に分割された隣接する表示領域それぞれに映像を表示する機能である。ＰｏｕｔＰ機能は、異なるサイズであって、２つの隣接する表示領域それぞれに映像を表示する機能である。
【００２２】
表示パラメータは、表示領域を示す情報、その表示領域のサイズおよび位置（基点座標、水平サイズ、垂直サイズ等から構成される）等を含む。割当テーブルは、ネットワークインターフェースＩ／Ｆ１０，２０それぞれに異なる入力ソースが接続された場合に、２つの表示領域に対して２つの入力ソースから受信するデータのいずれを割り当てるかを定める。割当テーブルは、表示領域それぞれに対して、表示領域を示す情報と、割当識別情報とを含む割当情報を含む。割当識別情報は、例えばネットワークインターフェースＩ／Ｆ１０，２０の識別情報であってもよいし、ネットワークインターフェースＩ／Ｆ１０，２０それぞれに接続される映像供給装置の装置識別情報であってもよい。
【００２３】
なお、表示設定部１１１が上記３つの機能に関連付けた割当テーブルを記憶する構成は一例であって、この構成に限定するものではない。複数の表示領域が隣接するような位置および大きさを定める情報であればよく、各機能に関連付けなくてもよい。
【００２４】
表示設定部１１１は、例えばユーザが操作パネル３０を操作して、３つの機能のいずれかを選択することにより、選択された機能に関連付けられた２つの表示パラメータを設定し、選択された機能に関連付けられた割当テーブルから割当情報を抽出する。表示設定部１１１は、設定後の２つの表示パラメータと、割当テーブルから抽出された割当情報とを表示データ生成部１１７および操作判定部１２３に出力する。なお、２つのデフォルトの表示パラメータおよびデフォルトの割当情報は、ユーザが自由に変更するようにしてもよい。
【００２５】
第１，２の実施形態においては、ＰｂｙＰ機能の表示態様において、一方の表示領域を第１表示領域、他方の表示領域を第２表示領域といい、第１表示領域を定める表示パラメータを第１表示パラメータ、第２表示領域を定めるパラメータを第２表示パラメータという。また、ネットワークインターフェースＩ／Ｆ１０に接続される第１映像供給装置２００から受信するデータが割り当てられる領域を第１表示領域として、割当テーブルにおいて第１表示領域を示す情報に第１割当識別情報が関連付けられ、ネットワークインターフェースＩ／Ｆ２０に接続される第２映像供給装置３００から受信するデータが割り当てられる領域を第２表示領域として、割当テーブルにおいて第２表示領域を示す情報に第２割当識別情報が関連付けられているとする。
【００２６】
制御部１０１は、表示設定部１１１による第１，２表示パラメータの設定が完了すると、第１，２映像供給装置２００，３００それぞれとキャリブレーションを実行し、第１映像供給装置２００の表示部の座標系と第１表示領域の座標とを対応付ける第１座標変換パラメータを算出し、第２映像供給装置３００の表示部の座標系と第２表示領域の座標とを対応付ける第２座標変換パラメータを算出する。
【００２７】
第１映像受信部１１３は、第１映像供給装置２００から第１ネットワークインターフェースＩ／Ｆ１０を介して、第１映像データを受信し、第２映像受信部１１５は、第２映像供給装置３００から第２ネットワークインターフェースＩ／Ｆ２０を介して、第２映像データを受信する。第１，２映像データそれぞれは、第１，２映像供給装置２００，３００それぞれが表示中のデータであり、画像のサイズおよび画素ごとの画素値等の情報が含まれる。第１，２映像受信部１１３，１１５は、それぞれが受信した第１，２映像データをデジタルデータに変換し、表示データ生成部１１７に出力する。
【００２８】
表示データ生成部１１７は、表示設定部１１１から入力された第１，２表示パラメータおよび割当情報を参照して、第１，２映像受信部１１３，１１５から入力される複数の映像データに基づいて、表示データを生成する。表示データは、複数の映像データに対して、拡大または縮小するスケーリング処理、ガンマ補正処理および合成処理を実行することにより生成される。具体的に、表示データ生成部１１７は、スケーリング処理により、第１，２表示パラメータがそれぞれ示す第１，２表示領域の大きさに合わせて、第１，２映像データそれぞれを拡大または縮小する。また、合成処理において、第１，２表示パラメータおよび割当情報を参照して、第１映像データと第２映像データとを合成する。表示データ生成部１１７は、第１，２映像データそれぞれに対して生成された第１，２表示データを映像表示部１１９に出力する。
【００２９】
映像表示部１１９は、表示データ生成部１１７により生成された表示データに基づいて、映像を表示部３１に表示する。これにより、第１映像供給装置２００から受信する映像データの映像と同じコンテンツの映像と第２映像供給装置３００から受信する映像データの映像と同じコンテンツの映像とが同時に表示される。
【００３０】
位置検出部１２１は、操作部３３のタッチパネルが出力する位置情報を所定周期ごとに取得し、取得した位置情報を操作判定部１２３に出力する。位置検出部１２１は、指示された位置に連続性がある場合、それら複数の位置情報を操作判定部１２３に出力する。
【００３１】
指示位置の連続性は、所定周期Δｔごとの位置情報が距離として連続しているか否かを判定すればよい。具体的には、図４に示されるように現在の位置情報が示す座標（ｘ、ｙ）と１周期前の位置情報が示す座標（ｘ’、ｙ’）とした場合、数１により示される両座標間の距離が閾値以下であれば、両座標は連続性があると判定し、そうでなければ連続性がないと判定する。なお、数１より簡易なものとして、数２または数３を利用してもよい。
【００３２】
【数１】
2015115003.tif 000003
【００３３】
【数２】
2015115003.tif 000004
【００３４】
【数３】
2015115003.tif 000005
【００３５】
なお、連続性の判定として、より簡易な方法は、連続する所定周期それぞれにおいて、指示された位置があるか否かを判定するようにしてもよい。
【００３６】
操作判定部１２３は、位置検出部１２１から入力される位置情報と表示設定部１１１から入力される第１，２表示パラメータおよび割当情報とに基づいて、第１，２映像供給装置２００，３００のいずれに対する操作であるかを判定する。本実施形態においては、ＰｂｙＰ機能が設定されている場合における操作判定部１２３の処理について説明する。
【００３７】
操作判定部１２３は、位置の連続性がない場合、位置情報が示す位置が含まれる表示領域に関連付けられた割当識別情報で特定される映像供給装置に対する操作であると判定する。一方、位置の連続性がある場合、複数の位置情報のうち始点の座標が含まれる表示領域に関連付けられた割当識別情報で特定される映像供給装置に対する操作であると判定する。
【００３８】
操作判定部１２３は、位置の連続性がない場合において、第１映像供給装置２００に対する操作であると判定すると、位置検出部１２１から入力された位置情報を第１操作情報送信部１２５に出力し、第２映像供給装置３００に対する操作であると判定すると、位置検出部１２１から入力された位置情報を第２操作情報送信部１２７に出力する。
【００３９】
また、操作判定部１２３は、位置の連続性がある場合において、第１映像供給装置２００に対する操作であると判定すると、位置検出部１２１から入力された連続性のある複数の位置情報のうち第１表示領域内に含まれるものを第１操作情報送信部１２５に出力し、第２映像供給装置３００に対する操作であると判定すると、位置検出部１２１から入力された連続性のある複数の位置情報のうち第２表示領域内に含まれるもの第２操作情報送信部１２７に出力する。
【００４０】
第１操作情報送信部１２５は、第１操作情報をネットワークインターフェースＩ／Ｆ１０を介して、第１映像供給装置２００に送信する。第１操作情報は、第１座標変換パラメータを用いて、第１表示領域において指示された位置の座標を表示部３１の座標系から第１映像供給装置２００の表示部の座標系に変換した座標を含む。
【００４１】
第２操作情報送信部１２７は、第２操作情報をネットワークインターフェースＩ／Ｆ２０を介して、第２映像供給装置３００に送信する。第２操作情報は、第２座標変換パラメータを用いて、第２表示領域において指示された位置の座標を表示部３１の座標系から第２映像供給装置３００の表示部の座標系に変換した座標を含む。
【００４２】
図５は、ＰｂｙＰ機能を利用して２つの映像が表示されたタッチパネルディスプレイの表示部を示す第１の図である。図５に示されるように、表示部３１の表示面４００には、第１，２表示パラメータおよび割当情報が参照されることにより、第１，２映像供給装置２００，３００それぞれから入力される映像データに基づいて生成された表示データの映像が表示される。
【００４３】
具体的に、表示面４００の左側半面の第１表示領域４１０に合わせて、第１映像供給装置２００から入力される第１映像データにスケーリング処理等の所定の処理が実行され、表示面４００の右側半面の第２表示領域４２０に合わせて、第２映像供給装置３００から入力される第２映像データに所定の処理が実行される。そして、それら処理後の２つの映像データが合成されることにより１つの表示データが生成される。
【００４４】
ここで、ユーザが第１表示領域４１０から第２表示領域４２０に境界を跨いで操作、例えばドラッグ操作またはフリック操作する場合、操作が開始された位置を含む第１表示領域４１０に関連付けられた割当識別情報で特定される映像供給装置、ここでは第１映像供給装置２００に対する操作と判断される。そして、この第１映像供給装置２００に、この操作により検出された位置情報のうち第１表示領域４１０に含まれるものが送信される。
【００４５】
図６は、第１の実施形態における操作情報生成・送信処理の流れの一例を示すフローチャートである。操作情報生成・送信処理は、制御部１０１がメモリ４０に記憶された操作情報生成・送信プログラムを実行することにより、実行される処理である。図６に示されるように、制御部１０１は、複数の入力ソースと接続されることにより複数の映像データを受信したか否かを判断する（ステップＳ０１）。ここでは、第１，２映像受信部１１３，１１５それぞれが第１，２映像供給装置２００，３００から映像データを受信したならば処理をステップＳ０２に進める。
【００４６】
ステップＳ０２において、表示設定部１１１は、表示機能のうちＰｂｙＰ機能の設定がされたか否かを判断する。ＰｂｙＰ機能の設定がされたならば処理をステップＳ０３に進める。
【００４７】
ステップＳ０３において、表示設定部１１１は、表示パラメータおよび割当情報を設定する。表示パラメータは、ステップＳ０１で設定されたＰｂｙＰ機能に関連付けて表示領域ごとに記憶されており、表示領域のサイズおよび位置（基点座標、水平サイズ、垂直サイズ等から構成される）を含む。また、割当情報は、ＰｂｙＰ機能に関連付けられた割当テーブルから抽出され、２つの表示領域それぞれに対して、表示領域を示す情報と、割当識別情報とを含む。
【００４８】
次のステップＳ０４において、制御部１０１は、第１，２映像供給装置２００，３００との間でキャリブレーションを実行する。キャリブレーションの実行により、第１映像供給装置２００の表示部の座標系と第１表示領域の座標とを対応付ける第１座標変換パラメータを算出し、第２映像供給装置３００の表示部の座標系と第２表示領域の座標とを対応付ける第２座標変換パラメータを算出する。
【００４９】
次のステップＳ０５において、位置検出部１２１は、指示位置を検出したか否かを判断する。位置検出部１２１は、表示部３１の表示面において指示された位置を所定周期ごとに検出し、その位置を示す位置情報を生成する。指示された位置に連続性がある場合、それら複数の位置情報を生成する。位置検出部１２１は、指示位置を検出したならば処理をステップＳ０６に進める。
【００５０】
ステップＳ０６において、操作判定部１２３は、操作判定処理を実行する。操作判定処理は、ステップＳ０５における操作が第１映像供給装置２００または第２映像供給装置３００のいずれに対する操作か判定する処理である。操作判定処理の詳細については後述する。
【００５１】
次のステップＳ０７において、ステップＳ０６における操作判定処理の結果によって処理を分岐する。操作判定部１２３は、操作判定処理の結果が第１映像供給装置２００に対する操作と判定するならば処理をステップＳ０８に進め、操作判定処理の結果が第２映像供給装置３００に対する操作と判定するならば処理をステップＳ１０に進める。
【００５２】
ステップＳ０８において、第１操作情報送信部１２５は、ステップＳ０４において算出された第１座標変換パラメータを用いて、ステップＳ０５において検出された位置情報のうち第１表示領域に含まれるもの（操作判定処理により生成された第１判定結果に含まれる位置情報）を表示部３１の座標系から第１映像供給装置２００の表示部の座標系に変換した座標を含む第１操作情報を生成する。
【００５３】
次のステップＳ０９において、第１操作情報送信部１２５は、ステップＳ０８において生成された第１操作情報をネットワークインターフェースＩ／Ｆ１０を介して第１映像供給装置２００に送信し、処理をステップＳ１２に進める。
【００５４】
一方、ステップＳ１０において、第２操作情報送信部１２７は、ステップＳ０４において算出された第２座標変換パラメータを用いて、ステップＳ０５において検出された位置情報のうち第２表示領域に含まれるもの（操作判定処理により生成された第２判定結果に含まれる位置情報）を表示部３１の座標系から第２映像供給装置３００の表示部の座標系に変換した座標を含む第２操作情報を生成する。
【００５５】
次のステップＳ１１において、第２操作情報送信部１２７は、ステップＳ１０において生成された第２操作情報をネットワークインターフェースＩ／Ｆ２０を介して第２映像供給装置３００に送信する。
【００５６】
ステップＳ１２において、制御部１０１は、ＰｂｙＰ機能の設定解除があったか否かを判断する。ＰｂｙＰ機能の設定解除があったならば操作情報生成・送信処理を終了するが、そうでなければ処理をステップＳ０５に戻す。
【００５７】
図７は、第１の実施形態における操作判定処理の流れの一例を示すフローチャートである。操作判定処理は、図６のステップＳ０６において実行される処理である。図６に示されるように、操作判定部１２３は、ステップＳ０５における操作が連続性のある操作か否かを判断する（ステップＳ２１）。ステップＳ０５における操作が連続性のある操作であるならば処理をステップＳ２２に進めるが、そうでなければ処理をステップＳ２３に進める。
【００５８】
ステップＳ２２において、操作判定部１２３は、第１，２表示パラメータおよび割当情報を参照して、ステップＳ０５において検出された指示位置のうち操作の開始位置が属する表示領域を特定し、処理をステップＳ２４に進める。
【００５９】
一方、ステップＳ２３において、操作判定部１２３は、第１，２表示パラメータおよび割当情報を参照して、ステップＳ０５において検出された指示位置が属する表示領域を特定し、処理をステップＳ２４に進める。
【００６０】
ステップＳ２４において、ステップＳ２２またはステップＳ２３において特定された表示領域に関連付けられた割当識別情報が第１，２割当識別情報のいずれであるかによって処理が分岐する。ステップＳ２２またはステップＳ２３において特定された表示領域に関連付けられた割当識別情報が第１割当識別情報であるならば、処理をステップＳ２５に進め、割当識別情報が第２割当識別情報であるならば、処理をステップＳ２７に進める。
【００６１】
ステップＳ２５において、操作判定部１２３は、第１映像供給装置２００に対する操作であると判定する。そして、第１判定結果を生成する（ステップＳ２６）。第１判定結果は、ステップＳ０５において検出された複数の位置情報のうち第１表示領域に含まれる位置情報を含む。一方、ステップＳ２７において、操作判定部１２３は、第２映像供給装置３００に対する操作であると判定する。そして、第２判定結果を生成する（ステップＳ２８）。第２判定結果は、ステップＳ０５において検出された複数の位置情報のうち第２表示領域に含まれる位置情報を含む。
【００６２】
〔実施形態２〕
第２の実施形態においては、ＰｂｙＰ機能の表示態様において、第１表示領域と第２表示領域の境界付近に、オーバーラップ領域を設定し、第１，２映像供給装置２００，３００のいずれに対する操作か判定するものである。図３に示されるように、第２の実施形態における制御部１０１は、操作判定部１２３に代えて操作判定部１２３Ａを含む。
【００６３】
操作判定部１２３Ａは、第１表示領域を特定する第１表示パラメータと関連付けた第１有効領域パラメータと、第２表示パラメータと関連付けた第２有効領域パラメータとを記憶する。
【００６４】
第１，２有効領域パラメータは、オーバーラップ領域の水平方向および垂直方向それぞれのサイズと位置とを示す。具体的に、第１有効領域パラメータは、その水平方向のサイズが第１所定値、垂直方向のサイズが第２表示パラメータと同一、基点座標が第２表示パラメータと同一として定められる第１オーバーラップ領域である。すなわち、第１有効領域パラメータで特定される第１オーバーラップ領域は、２つの表示領域の間の境界から第２表示領域側に所定の幅を有する領域である。
【００６５】
一方、第２有効領域パラメータは、その水平方向のサイズが第２所定値、垂直方向のサイズが第１表示パラメータと同一、基点座標の水平方向成分が（第１表示パラメータの水平方向成分）−（第２所定値）、垂直方向成分が第１表示パラメータと同一として定められる。すなわち、第２有効領域パラメータで特定される第２オーバーラップ領域は、２つの表示領域の間の境界から第１表示領域側に所定の幅を有する領域である。
【００６６】
なお、ユーザの操作により２つの表示領域の表示パラメータ（位置およびサイズ）に変更があった場合には、変更に従って２つの有効領域パラメータ（位置およびサイズ）も変更すればよい。また、ここではＰｂｙＰ機能にオーバーラップ領域を設ける場合を例に説明するが、ＰｏｕｔＰ機能にオーバーラップ領域を設ける構成であってもよい。
【００６７】
操作判定部１２３Ａは、位置の連続性がない場合、操作判定部１２３と同様の処理を実行する。一方、位置の連続性がある場合、複数の位置情報のうち始点の座標と終点の座標とが同じ表示領域内にあるか否かを判断する。始点の座標と終点の座標とが同じ表示領域内にあるならば、その表示領域に関連付けられた割当識別情報で特定される映像供給装置に対する操作であると判定する。始点の座標と終点の座標とが同じ表示領域内にないならば、始点の座標を含む表示領域に関連付けられた割当識別情報で特定される映像供給装置に対する操作と判定する。
【００６８】
操作判定部１２３Ａは、位置の連続性があり、始点の座標と終点の座標とが同じ表示領域内にある場合において、第１映像供給装置２００に対する操作であると判定すると、位置検出部１２１から入力された連続性のある複数の位置情報を第１操作情報送信部１２５に出力し、第２映像供給装置３００に対する操作であると判定すると、位置検出部１２１から入力された連続性のある複数の位置情報を第２操作情報送信部１２７に出力する。
【００６９】
操作判定部１２３Ａは、位置の連続性があり、始点の座標と終点の座標とが同じ表示領域内にない場合において、第１映像供給装置２００に対する操作であると判定すると、位置検出部１２１から入力された連続性のある複数の位置情報のうち第１表示領域内のものと、第１オーバーラップ領域に含まれる位置情報を第１表示領域に丸め込んだものとを第１操作情報送信部１２５に出力し、第２映像供給装置３００に対する操作であると判定すると、位置検出部１２１から入力された連続性のある複数の位置情報のうち第２表示領域内のものと、第２オーバーラップ領域に含まれる位置情報を第２表示領域に丸め込んだものとを第２操作情報送信部１２７に出力する。
【００７０】
具体的に、第１オーバーラップ領域において検出された位置情報は、垂直方向成分については変更されずにそのまま設定され、第１表示領域における水平方向の最大値が水平方向成分において設定されることにより、第１表示領域内に丸め込まれる。第２オーバーラップ領域において検出された位置情報は、垂直方向成分については変更されずにそのまま設定され、第２表示領域の水平方向における最小値が水平方向成分において設定されることにより、第２表示領域内に丸め込まれる。すなわち、第１，２オーバーラップ領域において検出された位置情報は、その位置から最短距離となる、第１表示領域と第２表示領域の境界上の位置に丸め込まれる。
【００７１】
図８（ａ），（ｂ）は、ＰｂｙＰ機能を利用して２つの映像が表示されたタッチパネルディスプレイの表示部を示す第２の図である。図８に示されるように、表示部３１の表示面５００には、第１，２表示パラメータおよび割当情報が参照されることにより、第１，２映像供給装置２００，３００それぞれから入力される映像データに基づいて生成された表示データの映像が表示される。
【００７２】
具体的に、表示面５００の左側半面の第１表示領域５１０に合わせて第１映像供給装置２００から入力される第１映像データに所定の処理が実行され、表示面の右側半面の第２表示領域５２０に合わせて第２映像供給装置３００から入力される第２映像データに所定の処理が実行される。そして、それら処理後の２つの映像データを合成されることにより１つの表示データが生成される。これにより、第１映像供給装置２００に表示される映像が第１表示領域５１０に表示され、第２映像供給装置３００に表示される映像が第２表示領域５２０に表示される。
【００７３】
また、第１，２表示領域５１０，５２０の間の境界から右側に所定の幅を有する第１オーバーラップ領域５３０が第２表示領域５２０に重畳して設定され、第１，２表示領域５１０，５２０の間の境界から左側に所定の幅を有する第２オーバーラップ領域５４０が第１表示領域５１０に重畳して設定される。
【００７４】
ここで、図８（ａ）に示されるように、ユーザが第１表示領域５１０から境界を跨いで第２表示領域５２０にドラッグ操作またはフリック操作する場合、操作の開始位置が第１表示領域５１０であるため第１オーバーラップ領域５３０が有効となる。そして、第１表示領域５１０内において検出された位置の位置情報と、第１オーバーラップ領域５３０内において検出された位置の位置情報が第１表示領域５１０内に丸め込められた位置情報とが、第１映像供給装置２００に送信される。具体的に、第１オーバーラップ領域５３０において検出された位置情報は、垂直方向成分については変更されずにそのまま設定され、第１表示領域５１０における水平方向の最大値が水平方向成分において設定されることにより、第１表示領域５１０内に丸め込まれる。
【００７５】
一方、図８（ｂ）に示されるように、ユーザが第２表示領域５２０から境界を跨いで第１表示領域５１０にドラッグ操作またはフリック操作する場合、操作の開始位置が第２表示領域５２０であるため第２オーバーラップ領域５４０が有効となる。そして、第２表示領域５２０内において検出された位置の位置情報と、第２オーバーラップ領域５４０内において検出された位置の位置情報が第２表示領域５２０内に丸め込められた位置情報とが、第２映像供給装置３００に送信される。具体的に、第２オーバーラップ領域５４０において検出された位置情報は、垂直方向成分については変更されずにそのまま設定され、第２表示領域の水平方向における最小値が水平方向成分において設定されることにより、第２表示領域内に丸め込まれる。
【００７６】
図９は、第２の実施形態における操作情報生成・送信処理の流れの一例を示すフローチャートである。図９が示す操作情報生成・送信処理が図６に示す操作情報生成・送信処理と異なる点は、ステップＳ０３，Ｓ０４の間にステップＳ３１が追加された点、ステップ０６がステップＳ０６Ａに変更された点である。その他の処理は、図６に示す処理と同様であるので、ここでは詳細な説明は繰り返さない。
【００７７】
ステップＳ３１において、操作判定部１２３Ａは、ステップＳ０３において設定された第１，２表示パラメータに基づいて、第１，２有効領域パラメータを設定する。具体的に、第１有効領域パラメータは、その水平方向のサイズが第１所定値、垂直方向のサイズが第２表示パラメータと同一、基点座標が第２表示パラメータと同一として定められる第１オーバーラップ領域である。すなわち、第１有効領域パラメータで特定される第１オーバーラップ領域は、２つの表示領域の間の境界から第２表示領域側に所定の幅を有する領域である。
【００７８】
一方、第２有効領域パラメータは、その水平方向のサイズが第２所定値、垂直方向のサイズが第１表示パラメータと同一、基点座標の水平方向成分が（第１表示パラメータの水平方向成分）−（第２所定値）、垂直方向成分が第１表示パラメータと同一として定められる。すなわち、第２有効領域パラメータで特定される第２オーバーラップ領域は、２つの表示領域の間の境界から第１表示領域側に所定の幅を有する領域である。
【００７９】
図１０は、第２の実施形態における操作判定処理の流れの一例を示すフローチャートである。操作判定処理は、図９のステップＳ０６Ａにおいて実行される処理である。なお、図１０に示す操作判定処理が図７に示す操作判定処理と異なる点は、Ｓ４１〜Ｓ５５が追加された点である。その他の処理は、図７の処理と同様であるので、ここでは詳細な説明は繰り返さない。
【００８０】
ステップＳ４１において、操作判定部１２３Ａは、ステップＳ０５における操作の開始位置および終了位置それぞれが属する表示領域を特定する。そして、特定された表示領域が同一表示領域か否かを判断する。同一表示領域であるならば処理をステップＳ４３に進めるが、そうでなければ処理をステップＳ５１に進める。
【００８１】
ステップＳ４３において、ステップＳ４１において特定された表示領域に関連付けられた割当識別情報が第１，２割当識別情報のいずれであるかで処理が分岐する。ステップＳ４１において特定された表示領域に関連付けられた割当識別情報が第１割当識別情報であるならば処理をステップＳ４６に進め、割当識別情報が第２割当識別情報であるならば処理をステップＳ４４に進める。
【００８２】
ステップＳ４４において、操作判定部１２３Ａは、ステップＳ０５において検出された操作が第２映像供給装置３００に対する操作であると判定する。そして、第２判定結果を生成する（ステップＳ４５）。
【００８３】
第２判定結果は、ステップＳ０５において検出された複数の位置情報のうち第２表示領域内のものと、第２オーバーラップ領域に含まれる位置情報を第２表示領域に丸め込んだものとを含む。具体的に、第２オーバーラップ領域において検出された位置情報は、垂直方向成分については変更されずにそのまま設定され、第２表示領域の水平方向における最小値が水平方向成分において設定されることにより、第２表示領域内に丸め込まれる。
【００８４】
ステップＳ４６において、操作判定部１２３Ａは、ステップＳ０５において検出された操作が第１映像供給装置２００に対する操作であると判定する。そして、第１判定結果を生成する（ステップＳ４７）。
【００８５】
第１判定結果は、ステップＳ０５において検出された複数の位置情報のうち第２表示領域内のものと、第１オーバーラップ領域に含まれる位置情報を第１表示領域に丸め込んだものとを含む。具体的に、第１オーバーラップ領域において検出された位置情報は、垂直方向成分については変更されずにそのまま設定され、第１表示領域における水平方向の最大値が水平方向成分において設定されることにより、第１表示領域内に丸め込まれる。
【００８６】
ステップＳ５１は、ステップＳ４１において特定された操作の開始位置および終了位置が属する表示領域が同一の表示領域であると判断された場合である。ステップＳ５１において、操作判定部１２３Ａは、ステップＳ４１において特定された表示領域に関連付けられた割当識別情報が第１，２割当識別情報のいずれであるかによって処理が分岐する。ステップＳ４１において特定された割当識別情報が第１割当識別情報であるならば処理をステップＳ５２に進め、割当識別情報が第２割当識別情報であるならば処理をステップＳ５４に進める。
【００８７】
ステップ５２において、操作判定部１２３Ａは、ステップＳ０５において検出された操作が第１映像供給装置２００に対する操作であると判定する。そして、第１判定結果を生成する（ステップＳ５３）。第１判定結果は、ステップＳ０５において検出された複数の位置情報のうち第１表示領域内のものを含む。
【００８８】
ステップＳ５４において、操作判定部１２３Ａは、ステップＳ０５において検出された操作が第２映像供給装置３００に対する操作であると判定する。そして、第２判定結果を生成する（ステップＳ５５）。第２判定結果は、ステップＳ０５において検出された複数の位置情報のうち第２表示領域内のものを含む。
【００８９】
〔第３の実施形態〕
第３の実施形態においては、ＰｉｎＰ機能の表示態様において、第１，２映像供給装置２００，３００のいずれに対する操作か判定するものである。後方における表示面全体の表示領域を表示領域Ａとし、前方における小さい表示領域を表示領域Ｂとする。また、表示領域Ａは、表示パラメータＡにより定められ、表示領域Ｂは、表示パラメータＢにより定められるとする。
【００９０】
図３に示されるように、第３の実施形態における制御部１０１は、操作判定部１２３に代えて操作判定部１２３Ｂを含む。操作判定部１２３Ｂは、位置の連続性がなく、位置情報が示す位置が表示領域Ａに含まれる場合、表示領域Ａに関連付けられた割当識別情報で特定される映像供給装置に対する操作であると判定する。位置の連続性がなく、位置情報が示す位置が表示領域Ｂに含まれる場合、第１，２映像供給装置２００，３００いずれに対する操作でもないと判定する。
【００９１】
一方、操作判定部１２３Ｂは、位置の連続性がある場合、表示領域Ａに始点の座標が含まれ、かつ、表示領域Ｂに含まれる位置情報があるか否かを判断する。表示領域Ａに始点の座標が含まれるか否かは、位置検出部１２１により検出された複数の位置情報のうち始点の座標、表示パラメータＡおよび割当情報を参照することにより判断される。表示領域Ｂに含まれる位置情報があるか否かは、複数の位置情報、表示パラメータＢおよび割当情報を参照することにより判断される。表示領域Ａに始点の座標が含まれ、かつ、表示領域Ｂに含まれる位置情報があるならば、表示領域Ａに関連付けられた割当識別情報で特定される映像供給装置に対する操作と判定するが、そうでなければ第１，２映像供給装置２００，３００いずれに対する操作でもないと判定する。
【００９２】
操作判定部１２３Ｂは、位置の連続性がない場合において、第１映像供給装置２００に対する操作であると判定すると、位置検出部１２１から入力された位置情報を第１操作情報送信部１２５に出力し、第２映像供給装置３００に対する操作であると判定すると、位置検出部から入力された位置情報を第２操作情報送信部１２７に出力する。
【００９３】
操作判定部１２３Ｂは、位置の連続性がある場合において、第１映像供給装置２００に対する操作であると判定すると、位置検出部１２１から入力された位置情報を第１操作情報送信部１２５に出力し、第２映像供給装置３００に対する操作であると判定すると、位置検出部から入力された位置情報を第２操作情報送信部１２７に出力する。
【００９４】
図１１は、ＰｉｎＰ機能を利用して２つの映像が表示されたタッチパネルディスプレイの表示部を示す図である。図１１に示されるように、表示部３１の表示面６００には、第１，２表示パラメータおよび割当情報が参照されることにより、第１，２映像供給装置２００，３００それぞれから入力される映像データに基づいて生成された表示データの映像が表示される。具体的に、一部の領域を除いて表示面６００全体の表示領域Ａ（大画面）に合わせて第１映像供給装置２００から入力される第１映像データに所定の処理が実行され、表示面のうち表示領域Ａ以外の表示領域Ｂ（小画面）に合わせて第２映像供給装置３００から入力される第２映像データに所定の処理が実行される。そして、それら処理後の２つの映像データを合成されることにより１つの表示データが生成される。
【００９５】
ここで、図１１に示されるように、ユーザが表示領域Ａから表示領域Ｂにドラッグ操作またはフリック操作する場合、操作の開始位置を含む表示領域Ａ内において検出された位置の位置情報、第１映像供給装置２００に送信される。
【００９６】
図１２は、第３の実施形態における操作判定処理の流れの一例を示すフローチャートである。図１２に示す操作判定処理は、ＰｉｎＰ機能が選択されることにより、図６のステップＳ０６において実行される。操作判定部１２３Ｂは、ステップＳ０５において検出された操作が連続性のある操作か否か判断する。連続性のある操作であるならば処理をステップＳ６２に進めるが、そうでなければ処理をステップＳ６８に進める。
【００９７】
ステップＳ６２において、操作判定部１２３Ｂは、操作の開始位置が属する表示領域を特定し、処理をステップＳ６３に進める。
【００９８】
ステップＳ６３において、操作判定部１２３Ｂは、ステップＳ６２において特定された表示領域が表示領域Ａか否かを判断する。ステップＳ６２において特定された表示領域が表示領域Ａであるならば処理をステップＳ６４に進めるが、そうでなければ処理をステップＳ７７に進める。
【００９９】
ステップＳ６４において、操作判定部１２３Ｂは、表示領域Ａに関連付けられた割当識別情報が第１，２割当識別情報のいずれであるかで処理が分岐する。表示領域Ａに関連付けられた割当識別情報が第１割当識別情報であるならば処理をステップＳ６５に進めるが、割当識別情報が第２割当識別情報であるならば処理をステップＳ６６に進める。
【０１００】
ステップＳ６５において、操作判定部１２３Ｂは、第１映像供給装置２００に対する操作であると判定し、処理をステップＳ６７に進める。一方、ステップＳ６６において、操作判定部１２３Ｂは、第２映像供給装置３００に対する操作であると判定し、処理をステップＳ６７に進める。
【０１０１】
ステップＳ６７において、操作判定部１２３Ｂは、判定結果を生成し、操作判定処理を終了する。判定結果は、ステップＳ０５において検出された複数の位置情報のうち表示領域Ａに含まれる位置情報を含む。この判定結果に基づいて、操作情報が生成される。
【０１０２】
ステップＳ６８において、操作判定部１２３Ｂは、ステップＳ０５において検出された指示位置が属する表示領域を特定し、処理をステップＳ６９に進める。
【０１０３】
ステップＳ６９において、操作判定部１２３Ｂは、ステップＳ６８において特定された表示領域が表示領域Ａか否かを判断する。ステップＳ６８において特定された表示領域が表示領域Ａであるならば処理をステップＳ７０に進めるが、そうでなければ処理をステップＳ７４に進める。
【０１０４】
ステップＳ７０において、操作判定部１２３Ｂは、表示領域Ａに関連付けられた割当識別情報が第１，２割当識別情報のいずれであるかで処理を分岐する。表示領域Ａに関連付けられた割当識別情報が第１割当識別情報であるならば処理をステップＳ７１に進め、割当識別情報が第２割当識別情報であるならば処理をステップＳ７２に進める。
【０１０５】
ステップＳ７１において、操作判定部１２３Ｂは、第１映像供給装置２００に対する操作であると判定し、処理をステップＳ７３に進める。一方、ステップＳ７２において、操作判定部１２３Ｂは、第２映像供給装置３００に対する操作であると判定し、処理をステップＳ７３に進める。
【０１０６】
ステップＳ７３において、操作判定部１２３Ｂは、判定結果を生成し、操作判定処理を終了する。判定結果は、ステップＳ０５において検出された複数の位置情報のうち表示領域Ａに含まれる位置情報を含む。この判定結果に含まれる位置情報に基づいて操作情報が生成される。なお、上述の判定結果（第１，２判定結果を含む）は、第１，２映像供給装置のうちいずれに対する操作であるかを示す情報として割当識別情報を含めて、１つの操作情報送信部が操作情報の送信先を判断するようにしてもよい。
【０１０７】
ステップＳ７４において、操作判定部１２３Ｂは、第１，２映像供給装置２００，３００いずれに対する操作にも該当しないと判断し、処理をステップＳ０５に戻す。
【０１０８】
〔ソフトウェアによる実現例〕
タッチパネルディスプレイ１００の制御ブロック（特に制御部１０１）は、集積回路（ＩＣチップ）等に形成された論理回路（ハードウェア）によって実現してもよいし、ＣＰＵ（Central Processing Unit）を用いてソフトウェアによって実現してもよい。
【０１０９】
後者の場合、タッチパネルディスプレイ１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１０】
〔まとめ〕
本発明の態様１に係る表示装置は、複数の入力ソース（第１，２映像供給装置２００，３００）から入力される複数の映像を同時に表示可能な表示装置（タッチパネルディスプレイ１００）であって、表示面において複数の表示領域を設定し、該複数の表示領域それぞれに映像を表示する表示制御部（表示設定部１１１、表示データ生成部１１７、映像表示部１１９）と、表示面上の位置を指定する操作を受け付ける操作部３３と、前記操作が前記複数の入力ソースのうちいずれに対する操作であるかを判定する操作判定部１２３，１２３Ａ，１２３Ｂと、前記操作判定部により判定された結果に応じた入力ソースに、該入力ソースに対する操作の内容を特定するための操作情報を送信する操作情報送信部（第１，２操作情報送信部１２５，１２７）とを備え、前記操作判定部は、前記操作部により連続性のある操作が受け付けられる場合、該操作の開始位置が含まれる表示領域を表示対象とする映像を入力する入力ソースに対する操作と判定し、前記操作情報送信部は、前記操作のうち前記開始位置が含まれる表示領域における操作の操作情報を送信する。
【０１１１】
上記の構成によれば、表示面において複数の表示領域が設定され、該複数の表示領域それぞれに映像が表示され、操作が複数の入力ソースのうちいずれに対する操作であるかが判定され、判定された結果に応じた入力ソースに、該入力ソースに対する操作の内容を特定するための操作情報が送信される。また、連続性のある操作が受け付けられる場合、該操作の開始位置が含まれる表示領域を表示対象とする映像を入力する入力ソースに対する操作と判定され、操作のうち開始位置が含まれる表示領域における操作の操作情報が送信される。
【０１１２】
連続性のある操作は、その開始位置を基準として操作内容が特定されるので、ユーザが誤って複数の表示領域に跨るような連続性のある操作をした場合、該操作の開始位置が含まれる表示領域内における操作はユーザの意図した操作である可能性が高く、他の表示領域における操作はユーザの意図した操作である可能性が低い。
【０１１３】
また、該操作の開始位置が含まれる表示領域内における操作の操作情報が、その表示領域に対応する１つの入力ソースに送信されることで、ユーザの意図しない処理が実行されてしまうといったことがない。したがって、同時に複数の映像を表示する場合におけるポインティングデバイスによる入力の操作性を向上することが可能な表示装置、表示制御方法および表示制御プログラムを提供することができる。
【０１１４】
本発明の態様２に係る表示装置において、前記表示制御部は、表示面において複数の表示領域を横方向および縦方向の少なくとも一方に並べて設定し、該複数の表示領域それぞれに映像を表示し、前記第１表示領域と前記第２表示領域との境界から所定の幅を有し、該第２表示領域に重畳する領域をオーバーラップ領域とし、操作の開始位置が前記第１表示領域に含まれ、前記オーバーラップ領域に操作範囲が及ぶ連続性のある操作が前記操作部により受け付けられた場合、前記操作判定部は、前記第１表示領域を表示対象とする映像を入力する入力ソースに対する操作と判定し、前記操作情報送信部は、前記オーバーラップ領域において指定された位置を前記第１表示領域内に丸め込んだ位置と、前記第１表示領域内において指定された位置とを前記操作情報として送信する。
【０１１５】
上記の構成によれば、第１表示領域を超えた操作であっても、第１表示領域内に丸め込むことで、１表示領域内においてされた操作として、操作内容を第１表示領域に対応する入力ソースに送信することができる。
【０１１６】
本発明の態様３に係る表示装置において、前記表示制御部は、一部の領域を除く表示面全体の領域である第１表示領域と、前記一部の領域である第２表示領域とを設定し、該第１表示領域および該第２表示領域それぞれに映像を表示し、前記操作判定部は、前記操作部により連続性のある操作が受け付けられ、該操作の開始位置が前記第１表示領域に含まれる場合、前記第１表示領域を表示対象とする映像を入力する入力ソースに対する操作と判定し、前記操作情報送信部は、前記第１表示領域における操作の操作情報を送信する。
【０１１７】
本発明の態様４に係る表示装置において、前記操作判定部は、前記操作部により連続性のある操作が受け付けられ、該操作の開始位置が前記第２表示領域に含まれる場合、前記複数の入力ソースのいずれにも該当しない操作と判定し、前記送信情報送信部は、前記操作の操作情報を前記複数の入力ソースのいずれにも送信しない。
【０１１８】
上記の構成によれば、小画面における連続する操作は、正確な操作と成り難いため、操作の操作情報を前記複数の入力ソースのいずれにも送信しないことで、誤った処理の実行を防止することができる。
【０１１９】
本発明の態様５に係る表示制御方法は、複数の入力ソースから入力される複数の映像を同時に表示可能な表示装置において実行される表示制御方法であって、表示面において複数の表示領域を設定し、該複数の表示領域それぞれに映像を表示するステップと、表示面上の位置を指定する操作を受け付けるステップと、前記操作が前記複数の入力ソースのうちいずれに対する操作であるかを判定するステップと、前記判定された結果に応じた入力ソースに、該入力ソースに対する操作の内容を特定するための操作情報を送信するステップとを含み、前記判定するステップは、前記連続性のある操作が受け付けられる場合、該操作の開始位置が含まれる表示領域を表示対象とする映像を入力する入力ソースに対する操作と判定し、前記操作情報を送信するステップは、前記操作のうち前記開始位置が含まれる表示領域における操作の操作情報を送信する。
【０１２０】
本発明の各態様に係る表示装置は、コンピュータによって実現してもよく、この場合には、コンピュータを上記表示装置が備える各手段として動作させることにより上記表示装置をコンピュータにて実現させる表示装置の表示制御プログラム、およびそれを記録したコンピュータ読み取り可能な記録媒体も、本発明の範疇に入る。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２２】
３０  操作パネル
１００  タッチパネルディスプレイ
１０１  制御部
１１１  表示設定部（表示制御部）
１１７  表示データ生成部（表示制御部）
１１９  映像表示部（表示制御部）
１２１  位置検出部
１２３，１２３Ａ，１２３Ｂ  操作判定部
１２５  第１操作情報送信部（操作情報送信部）
１２７  第２操作情報送信部（操作情報送信部）
【図１】
2015115003.tif 000006
【図２】
2015115003.tif 000007
【図３】
2015115003.tif 000008
【図４】
2015115003.tif 000009
【図５】
2015115003.tif 000010
【図６】
2015115003.tif 000011
【図７】
2015115003.tif 000012
【図８】
2015115003.tif 000013
【図９】
2015115003.tif 000014
【図１０】
2015115003.tif 000015
【図１１】
2015115003.tif 000016
【図１２】
2015115003.tif 000017